(57)【要約】      （修正有）【課題】画像情報を伝送可能な回線に複数の画像表示装置が接続された環境において、特に鉄道車両において効率的に画像情報を配信する画像表示装置を提供する。【解決手段】ネットワーク１１４で接続された複数の画像表示装置１の一つであって、挿入される可搬型記録媒体に記録された情報を読み出し、アップデート情報が含まれる場合はマスターになって該表示・配信情報に基づいて他の画像表示装置１に向けて前記可搬型記録媒体に蓄えられた画像情報をブロードキャストで配信し、アップデート情報が無い場合はスレーブになって画像情報を受信して自らの可搬型記録媒体に記録し、マスターから配信される画像情報と自らの有する画像情報を対比して画像情報の同期が取れた場合は、自らが新たなマスターとなって自らの可搬型記録媒体に蓄えられた画像情報をブロードキャストで配信し、前記可搬型記録媒体に記録された画像情報を表示する。【選択図】図１
2015219627.tif 000002
【特許請求の範囲】
【請求項１】
ネットワークで接続された複数の画像表示装置の一つであって、
挿入される可搬型記録媒体に記録された画像情報と該画像情報の表示及び配信に関する表示・配信情報とを読み出し、
該表示・配信情報にアップデート情報が含まれる場合はマスターになって該表示・配信情報に基づいて他の画像表示装置に向けて前記可搬型記録媒体に蓄えられた画像情報をブロードキャストにて配信し、
前記アップデート情報が無い場合はスレーブになって前記マスターが配信する画像情報を受信して自らの可搬型記録媒体に記録し、前記マスターから配信される画像情報と自らの有する画像情報を対比して画像情報の同期が取れた場合は、自らが新たなマスターとなって自らの可搬型記録媒体に蓄えられた画像情報をブロードキャストにて配信し、前記可搬型記録媒体に記録された画像情報を表示することを特徴とする画像表示装置。
【請求項２】
前記マスターになった画像表示装置が、前記可搬型記録媒体に記録された画像情報のバージョン情報を含むチェック用パケットをブロードキャストにて送信し、該チェック用パケットを受信した前記スレーブになった画像表示装置から返信された前記スレーブになった画像表示装置の有する画像情報のバージョン情報を含む転送要求パケットの内容に応じて、自らが有する画像情報をブロードキャストにて送信することを特徴とする請求項１に記載の画像表示装置。
【請求項３】
前記スレーブになった画像表示装置が、前記マスターになった画像表示装置から配信されるチェック用パケットに含まれる画像情報のバージョン情報と、自らの有する画像情報のバージョン情報とを対比してバージョン情報の同期が取れた場合、完了パケットを前記マスターになった画像表示装置へ送信し、新たなマスターとなって自らの有する画像情報のバージョン情報を含むチェック用パケットをブロードキャストにて送信することを特徴とする請求項１に記載の画像表示装置。
【請求項４】
前記マスターになった画像表示装置が、スレーブになった画像表示装置からの前記完了パケットを受信し、マスターからスレーブに変わることを特徴とする請求項３に記載の画像表示装置。
【請求項５】
前記マスターとなった画像表示装置が画像情報を送信する際に、自らのマスター番号を付加することを特徴とする請求項１乃至４何れかに記載の画像表示装置。
【請求項６】
前記マスターとなった画像表示装置から送信される画像情報及びマスター番号を受信して新たなマスターとなった画像表示装置のマスター番号が、送信マスター番号となる前記マスターとなった画像表示装置から送信されるマスター番号に所定の数を付加して定められることを特徴とする請求項１乃至５何れかに記載の画像表示装置。
【請求項７】
前記新たなマスターとなった画像表示装置であって、他の新たなマスターとなった画像表示装置から送信された前記送信マスター番号と自らのマスター番号とを対比し、自らのマスター番号が小さい場合はスレーブ状態になることを特徴とする請求項６に記載の画像表示装置。
【請求項８】
前記新たなマスターとなった画像表示装置であって、他の新たなマスターとなった画像表示装置から送信される送信マスター番号と自らのマスター番号とを対比し、前記送信マスター番号と自らのマスター番号とが等しい場合は、前記新たなマスターとなった画像表示装置から送信される情報に含まれるアドレス情報及び自らのアドレス情報に基づいて自らのマスター番号を維持又は変更することを特徴とする請求項６又は７に記載の画像表示装置。
【請求項９】
前記新たなマスターとなった画像表示装置であって、他の新たなマスターとなった画像表示装置から送信される送信マスター番号と自らのマスター番号とを対比し、前記送信マスター番号が自らのマスター番号より小さい場合は、自らの画像情報をブロードキャストにて送信することを特徴とする請求項６乃至８何れかに記載の画像表示装置。
【請求項１０】
前記画像表示装置が、車両情報を伝送する車両回線に直接又は間接に接続されて鉄道車両に設置され、前記車両回線を介して自らが設置された鉄道車両の号車番号と該鉄道車両の中での部位情報を受信し、前記号車番号と前記部位情報から自らの装置ＩＤを生成し、さらに、該装置ＩＤに基づいて予め定めた方式によりＩＰアドレスを生成し、そのＩＰアドレスを用いて他の画像表示装置と情報交換することを特徴とする請求項１乃至９何れかに記載の画像表示装置。
【請求項１１】
前記画像表示装置が、動画を表示する動画モードと静止画を表示する静止画モードとを有し、そのモードの切り替え及び画像表示のＯＮ／ＯＦＦの切り替えが前記車両回線を介して行われることを特徴とする請求項１０に記載の画像表示装置。
【請求項１２】
前記車両回線を介して状態を監視され、状態及び動作を制御するパケットを受け入れることを特徴とする請求項１０又は１１に記載の画像表示装置。
【請求項１３】
前記可搬型記録媒体が、表示する画像情報の蓄積された画像情報ファイル、前記画像情報ファイルの中の画像情報を再生する順番を記載した複数のシナリオが記載されたシナリオ情報を含むシナリオファイル、時間帯に応じて前記複数のシナリオの中からシナリオを変更するタイムテーブルが記載されたスケジュール情報を含むスケジュールファイル及び画像情報の再生に関する履歴を記録するログファイルを有することを特徴とする請求項１０乃至１２の何れかに記載の画像表示装置。
【請求項１４】
前記シナリオファイルには、シナリオ情報として前記画像情報の名称と、前記画像情報を表示させる画像表示装置の鉄道車両の中での位置情報と、前記画像情報を表示させる地点と、前記画像情報を繰り返しの表示させる回数と、が含まれていることを特徴とする請求項１３に記載の画像表示装置。
【請求項１５】
前記画像表示装置が、車両回線を介して取得する運行情報と前記スケジュール情報と前記シナリオ情報とに基づいて前記画像情報を表示することを特徴とする請求項１３又は１４に記載の画像表示装置。
【請求項１６】
前記可搬型記録媒体には、前記鉄道車両の用途種別に応じて前記画像表示装置の動作を設定する動作設定情報が記憶され、前記画像表示装置は、前記車両回線から運行情報として当該鉄道車両の用途種別を取得し、前記可搬型記録媒体から、前記画像情報、前記スケジュール情報及び前記シナリオ情報とともに前記動作設定情報を読み出し、
前記運行情報と前記スケジュール情報と前記シナリオ情報と前記動作設定情報に基づいて前記画像情報を表示する、ことを特徴とする請求項１３乃至１４のうちいずれか１項に記載の画像表示装置。
【発明の詳細な説明】
【技術分野】
【０００１】
本発明は画像表示装置、特に鉄道車両用の画像表示装置に関する。
【背景技術】
【０００２】
近年、屋外のサインボードや鉄道車両内の広告の画像表示器で画像情報が幅広く用いられるようになっている。鉄道会社は車両内へ広告を表示することで広告料を徴収して新た収入源とすることができる。広告の依頼主はなるべく広告の効果の大きいことを期待するので広告の効果に見合った広告料金を徴収可能なシステムが開示されている（特許文献１を参照）。
【０００３】
広告に使われる動画の画像情報は情報量が大きいので、例えば鉄道車両では先頭車両にサーバを設置してそこから各車両の表示器へ配信することが行われている（特許文献２を参照）。また、同じくサーバに蓄えられた複数の広告用の画像情報を組み合わせて表示することも行われている（特許文献３を参照）。
【０００４】
一般に、複数の画像表示装置の画像情報を更新することは容易ではない。特に、鉄道車両内に複数の画像表示装置が設置され、その車両が複数台接続される場合は全ての画像表示装置の画像情報を短時間で同期させることは難しい。
【０００５】
近年、鉄道車両内において複数の画像表示装置へ大容量の画像情報を簡便に配信することが求められている。また、画像情報が広告の場合は画像の種類を車両が運行される地点や時間帯で変更する必要があり、さらに季節により画像情報を入れ替えることが求められるので画像情報の更新を簡便にできることが強く望まれている。
【０００６】
画像情報の更新を簡便に行うには、新しい画像情報を有する画像表示装置から他の画像表示装置に向けて効率的に新しい画像情報の配信を行う必要がある。情報処理の分野では、マスターである処理装置の負荷を軽くするマスターの代替手段としてサブマスターと呼ばれる新たなマスターとなる処理装置を設けることが行われている（特許文献４を参照）が画像配信とは異なる目的である。
【先行技術文献】
【特許文献】
【０００７】
【特許文献１】特開２００６−１３４１２０号公報
【特許文献２】特開２０１０−１６５７５号公報
【特許文献３】特開２００９−１４２３９号公報
【特許文献４】特開２００５−４５８１３号公報
【発明の概要】
【発明が解決しようとする課題】
【０００８】
そこで、発明者らは広告用の画像情報の表示装置、特に鉄道車両に設置された複数の画像表示装置に画像情報を効率的に配信する検討を行い本願の画像表示装置、特に鉄道車両用の画像表示装置の発明を完成するに至ったものである。
【０００９】
本発明は、画像情報を伝送可能な回線に複数の画像表示装置が接続された環境において、特に鉄道車両において効率的に画像情報を配信する画像表示装置を提供することを目的とする。
【課題を解決するための手段】
【００１０】
上記課題を解決するためになされた請求項１に記載された発明は、ネットワークで接続された複数の画像表示装置の一つであって、挿入される可搬型記録媒体に記録された画像情報と該画像情報の表示及び配信に関する表示・配信情報とを読み出し、該表示・配信情報にアップデート情報が含まれる場合はマスターになって該表示・配信情報に基づいて他の画像表示装置に向けて前記可搬型記録媒体に蓄えられた画像情報をブロードキャストで配信し、前記アップデート情報が無い場合はスレーブになって前記マスターが配信する画像情報を受信して自らの可搬型記録媒体に記録し、前記マスターから配信される画像情報と自らの有する画像情報を対比して画像情報の同期が取れた場合は、自らが新たなマスターとなって自らの可搬型記録媒体に蓄えられた画像情報をブロードキャストで配信し、前記可搬型記録媒体に記録された画像情報を表示することを特徴とする画像表示装置である。
【００１１】
複数の画像表示装置が画像伝送可能な回線（ネットワーク）に接続されている。画像表示装置は画像を表示する画像表示部とこれに画像情報を送る表示制御部を備えており表示制御部は挿入されるＳＤカードなどの可搬型記録媒体からの情報の読み込みや接続される回線との情報のやり取りの制御を行う。画像情報はこの画像情報を表示及び配信に必要な表示・配信情報と共に画像表示装置へ挿入される可搬型記録媒体、例えばＳＤカードに記録されている。複数ある画像表示装置の中の１台に挿入されたＳＤカードにはアップデート情報が記録されていて、この情報を読み込んだ画像表示装置はマスターとなり、アップデート情報を読み込まなかった画像表示装置はスレーブとなる。マスターになった画像表示装置はＳＤカードに記録された新しい画像情報を他のスレーブとなる画像表示装置へブロードキャストで配信し、スレーブになった画像表示装置はそれを受信して可搬型記録媒体へ記録する。スレーブであった画像表示装置は新しい画像情報を受信してマスターである画像表示装置の画像情報と同期が取れると、新たなマスターとなって、自らの有する画像情報の配信を行う。そして画像表示装置は可搬型記録媒体に記録された画像情報を表示する。
【００１２】
請求項２に記載された発明は、請求項１に記載の発明において、マスターになった画像表示装置が、可搬型記録媒体に記録された画像情報のバージョン情報を含むチェック用パケットをブロードキャストにて送信し、該チェック用パケットを受信した前記スレーブになった画像表示装置から返信された前記スレーブになった画像表示装置の有する画像情報のバージョン情報を含む転送要求パケットの内容に応じて、自らが有する画像情報をブロードキャストにて送信することを特徴とする画像表示装置である。
【００１３】
表示・配信情報には、当該ＳＤカードに記録されている画像情報のバージョン情報が記録されている。アップデート情報によりマスターとなった画像表示装置はそのバージョン情報をチェック用パケットに含めてブロードキャストで送信する。他のスレーブである画像表示装置からは、自らの画像のバージョン情報を含む転送要求パケットが返信されるので、マスターとなった画像表示装置はこれを受けて差分である新しい画像情報をブロードキャストで送信する。
【００１４】
請求項３に記載された発明は、請求項１に記載された発明において、前記スレーブになった画像表示装置が、前記マスターになった画像表示装置から配信されるチェック用パケットに含まれる画像情報のバージョン情報と、自らの有する画像情報のバージョン情報とを対比してバージョン情報の同期が取れた場合、完了パケットを前記マスターになった画像表示装置へ送信し、新たなマスターとなって自らの有する画像情報のバージョン情報を含むチェック用パケットをブロードキャストにて送信することを特徴とする画像表示装置である。
【００１５】
可搬型記録媒体の表示・配信情報に基づいてスレーブになった画像表示装置は、マスターになった画像表示装置と画像情報のバージョンについて同期が取れた場合に、同期が取れたことを示す完了パケットをマスターである画像表示装置へ送信して新たなマスターになる。そして自らの有する画像情報のバージョン情報を含むチェック用パケットをブロードキャストにて送信する。
【００１６】
請求項４に記載された発明は、請求項３に記載の発明において、前記マスターになった画像表示装置が、新たにマスターになった画像表示装置からの前記完了パケットを受信し、マスターからスレーブに変わることを特徴とする請求項３に記載の画像表示装置である。
【００１７】
マスターになっている画像表示装置は、自分以外の新たにマスターになった画像表示装置からの前記完了パケットを受信し、マスターからスレーブに変わってマスターの役目を終える。
【００１８】
請求項５に記載された発明は、請求項１乃至４何れかに記載された発明において、前記マスターとなった画像表示装置が画像情報を送信する際に、自らのマスター番号を付加することを特徴とする画像表示装置である。
【００１９】
マスターである画像表示装置がマスター番号を付加して画像情報を送信することで、この情報を受信した画像表示装置は、どのマスターからの情報かを判別することができる。
【００２０】
請求項６に記載された発明は、請求項１乃至５何れかに記載された発明において、前記マスターとなった画像表示装置から送信される画像情報及びマスター番号を受信して新たなマスターとなった画像表示装置のマスター番号が、送信マスター番号となるマスター番号に所定の数を付加して定められることを特徴とする画像表示装置である。
【００２１】
新たにマスターとなる画像表示装置のマスター番号は、受信したマスター番号に所定の数、例えば１を加算して決めることで、それぞれのマスターを判別することができる。
【００２２】
請求項７に記載された発明は、請求項６に記載された発明において、前記新たなマスターとなった画像表示装置であって、他の新たなマスターとなった画像表示装置から送信された送信マスター番号と自らのマスター番号とを対比し、自らのマスター番号が小さい場合はスレーブ状態になることを特徴とする画像表示装置である。
【００２３】
新たなマスターとなった画像表示装置からは画像情報のバージョン情報と共に送信マスター番号となるマスター番号が送信される。マスターの優先順位をマスター番号の大小で定めて、例えばマスター番号の大きな新たなマスターを優先して、マスター番号の小さな画像表示装置がスレーブになることで、ブロードキャスト伝送でのパケットの渋滞を避けることができる。この順位づけは逆であってもよい。
【００２４】
請求項８に記載された発明は、請求項６又は７に記載された発明において、前記新たなマスターとなった画像表示装置であって、他の新たなマスターとなった画像表示装置から送信される送信マスター番号と自らのマスター番号とを対比し、前記送信マスター番号と自らのマスター番号とが等しい場合は、前記新たなマスターとなった画像表示装置から送信される情報に含まれるアドレス情報及び自らのアドレス情報に基づいて自らのマスター番号を維持又は変更することを特徴とする請求項１乃至７何れかに記載の画像表示装置。
【００２５】
他の新たなマスターとなった画像表示装置から送信される送信マスター番号と自らのマスター番号とを対比し、前記送信マスター番号と自らのマスター番号とが等しい場合は、前記新たなマスターとなった画像表示装置から送信される情報に含まれるアドレス情報及び自らのアドレス情報に基づいて自らのマスター番号を維持又は変更することで、マスター番号の重複を避けることができる。自分のマスター番号を維持する場合はマスター番号を送信して来た画像表示装置のマスター番号が変更される。どちらの画像表示装置のマスター番号を変えるかは、一意に定められるそれぞれのアドレス情報に基づいて決める。
【００２６】
請求項９に記載された発明は、請求項６乃至８何れかに記載された発明において、前記新たなマスターとなった画像表示装置であって、他の新たなマスターとなった画像表示装置から送信される送信マスター番号と自らのマスター番号とを対比し、前記送信マスター番号が自らのマスター番号より小さい場合は、自らの画像情報をブロードキャストで送信することを特徴とする画像表示装置である。
【００２７】
自らのマスター番号が送信マスター番号よりも大きい場合は、みずからが優位となり自らの画像情報をブロードキャストで配信する。
【００２８】
請求項１０に記載された発明は、請求項１乃至９何れかに記載された発明において前記画像表示装置が、車両情報を伝送する車両回線に直接又は間接に接続されて鉄道車両に設置され、前記車両回線を介して自らが設置された鉄道車両の号車番号と該鉄道車両の中での部位情報を受信し、前記号車番号と前記部位情報から自らの装置ＩＤを生成し、さらに、該装置ＩＤに基づいて予め定めた方式によりＩＰアドレスを生成し、そのＩＰアドレスを用いて他の画像表示装置と情報交換することを特徴とする画像表示装置である。
【００２９】
車両回線では車両の運行に必要な行き先情報、号車番号、車内に設置された装置に関する情報などが車両情報として伝送される。号車番号と車両内の設置位置を示す部位情報は各画像表示装置において固有なので、これに基づいて固有の装置ＩＤが算出され、さらに固有の車両ネットワークのアドレスを加えてＩＰアドレスを生成することができる。
【００３０】
請求項１１に記載された発明は、請求項１０に記載された発明において、前記画像表示装置が、動画を表示する動画モードと静止画を表示する静止画モードとを有し、そのモードの切り替え及び画像表示のＯＮ／ＯＦＦの切り替えが前記車両回線を介して行われることを特徴とする画像表示装置である。
【００３１】
画像表示装置は、主に広告で使われる動画を表示する動画モードと文字情報などを表示する静止画モードを有する。その切り替え及び画像表示のＯＮ／ＯＦＦの切り替えが、車両回線を介して行われるので多様な表示が可能になる。
【００３２】
請求項１２に記載された発明は、請求項１０又は１１に記載の発明において、前記車両回線を介して状態を監視され、状態及び動作を制御するパケットを受け入れることを特徴とする画像表示装置である。
【００３３】
画像表示装置は、車両回線を介した様々な制御を受けることができる。例えばリセットされると画像表示装置の状態が初期状態へ戻るので想定外のエラー状態になった場合に有効である。また、広告の表示は時間管理されているが、各画像表示装置は車両回線からの時刻情報により同期して動作する。また、画像表示装置の状態の監視や上記以外の制御も車両回線を介して行うことができる。
【００３４】
請求項１３に記載された発明は、請求項１０乃至１２何れかに記載された発明において、前記可搬型記録媒体が、前記画像表示部へ表示する画像情報の蓄積された画像情報ファイル、前記画像情報ファイルの中の画像情報を再生する順番を記載した複数のシナリオが記載されたシナリオ情報を含むシナリオファイル、時間帯に応じて前記複数のシナリオの中からシナリオを変更するタイムテーブルが記載されたスケジュール情報を含むスケジュールファイル及び画像情報の再生に関する履歴を記録するログファイルを有することを特徴とする画像表示装置である。
【００３５】
可搬型記録媒体は、前記画像情報ファイルの中の画像情報を再生する順番を記載した複数のシナリオが記載されたシナリオ情報を含むシナリオファイル、時間帯に応じて前記複数のシナリオの中からシナリオを変更するタイムテーブルが記載されたスケジュール情報を含むスケジュールファイルを有するので、的確な時間と場所に応じた広告を表示することができる。また画像情報の再生に関する履歴を記録するログファイルを有するので広告表示の記録を取ることで広告の実績を証明することができる。
【００３６】
請求項１４に記載された発明は、請求項１３に記載の発明において、前記シナリオファイルには、シナリオ情報として前記画像情報を表示させる画像表示装置の鉄道車両の中での位置情報と、前記画像表示部に表示させる前記画像情報の名称と、該画像情報を表示させる地点と、該画像情報を繰り返しの表示させる回数と、が含まれていることを特徴とする画像表示装置である。
【００３７】
シナリオファイルには、広告を有効に表示させるために必要な情報が記録されているので、複数の映像情報の管理が容易に行える。
【００３８】
請求項１５に記載された発明は、請求項１３又は１４に記載の発明において前記画像表示装置が、車両回線を介して取得する運行情報と前記スケジュール情報と前記シナリオ情報とに基づいて前記画像情報を表示することを特徴とする画像表示装置である。
【００３９】
時刻情報を有する各画像表示装置の表示制御部が、広告を流す時刻を指定したスケジュールファイルのスケジュール情報に基づいてシナリオファイルのシナリオを選択し、そのシナリオのシナリオ情報に基づいて画像情報は表示される。
【００４０】
請求項１６に記載の発明は、請求項１３又は１４に記載の発明において、前記可搬型記録媒体には、前記鉄道車両の用途種別に応じて前記表示制御部の動作を設定する動作設定情報が記憶され、前記表示制御部は、車両回線から運行情報として当該鉄道車両の用途種別を取得し、前記可搬型記録媒体から、前記画像情報、前記スケジュール情報及び前記シナリオ情報とともに前記動作設定情報を読み出し、前記運行情報と前記スケジュール情報と前記シナリオ情報と前記動作設定情報に基づいて前記画像情報を前記画像表示部に表示させることを特徴とする画像表示装置である。
【００４１】
鉄道車両は、車両毎に行き先が異なることが有り、通常運転の他に回送運転や試運転などの用途の種別が決められている。また、乗客が不在の場合は広告を流さないなどのきめ細かい運用が可能になる。
【発明の効果】
【００４２】
請求項１に記載された発明によれば、マスターである画像表示装置が、可搬型記録媒体に記録された画像情報を読み出して画像表示器で表示すると共に他の画像表示装置へ配信する。配信された画像情報がマスターと同期が取れたスレーブであった画像表示装置は新たなマスターとなって自らの有する画像情報の配信を行う。スレーブであった画像表示装置が新たなマスターとなって画像情報の配信を行うので、効率的に車両内に設置された他の画像表示装置の画像情報も更新することができる。
【００４３】
請求項２に記載された発明によれば、表示・配信情報には、当該ＳＤカードなどの可搬型記録媒体に記録されている画像情報のバージョン情報が記録されているので、マスターになった画像表示装置は新しい画像情報の配信にあたって、そのバージョン情報をチェック用パケットに含めて他の画像表示装置へ送信する。スレーブになった画像表示装置からは、自らの画像のバージョン情報を含む転送要求パケットが返信されるので確実な画像情報の同期が可能になる。
【００４４】
請求項３に記載された発明によれば、可搬型記憶媒体に記録された情報に基づいてスレーブになった画像表示装置はマスターの画像情報とバージョンの同期が取れると完了パケットを送信し、新たなマスターとなって画像情報の配信を行うことでネットワークに接続された画像表示装置間での画像情報の同期の確実性を図れる。
【００４５】
請求項４に記載された発明によれば、マスターとなった画像表示装置は、新たなマスターとなった画像表示装置からの完了パケットを受信することで自分の役割を終了してブロードキャストでのパケットの渋滞回避を図れる。
【００４６】
請求項５に記載された発明によれば、マスターとなった画像表示装置が画像情報を送信する際に、自らのマスター番号を付加するので、マスターとなる順番が分かり、マスターの重複によるブロードキャストのトラフィックの輻輳を避けることができる。
【００４７】
請求項６に記載された発明によれば、新たなマスターとなる画像表示装置のマスター番号が、受信したマスター番号に所定の数を付加して定められるのでマスターの重複によるブロードキャストのトラフィックの輻輳を避けることができる。
【００４８】
請求項７に記載された発明によれば、新たなマスターとなった画像表示装置であって、受信したマスター番号と自らのマスター番号を対比して自らのマスター番号が小さい場合はスレーブ状態になるのでマスターの重複によるブロードキャストのトラフィックの輻輳を避けることができる。
【００４９】
請求項８に記載された発明によれば、新たなマスターとなった画像表示装置であって、自らのマスター番号と受信したマスター番号が同一の場合は、アドレス情報を比べて自らのマスター番号を維持又は変更するので、マスターの重複によるブロードキャストのトラフィックの輻輳を避けることができる。
【００５０】
請求項９に記載された発明によれば、新たなマスターとなった画像表示装置であって、自らのマスター番号が受信したマスター番号よりも大きい場合に自らの画像情報をブロードキャストで送信するので、マスターの重複によるブロードキャストのトラフィックの輻輳を避けることができる。
【００５１】
請求項１０に記載された発明によれば車両の中の画像表示装置が、車両回線を介して自らが設置された鉄道車両の号車番号と該鉄道車両の中での部位情報を受信し、前記号車番号と前記部位情報から自らの装置ＩＤを生成し、さらに、該装置ＩＤに基づいて予め定めた方式により固有のＩＰアドレスを生成するのでその固有のＩＰアドレスを使って画像表示装置の間での確実な情報交換を図れる。
【００５２】
請求項１１に記載された発明によれば、表示される画面の切り替え又は画面のＯＮ／ＯＦＦの切り替えが、車両回線を介して行われるので多様な表示が可能になり、無駄な電力の消費の抑制が図れる。
【００５３】
請求項１２に記載された発明によれば、画像表示装置が車両回線を介して監視され状態及び動作を制御するパケットを受けるので、画像表示装置の状態を外部からリセットしたり、画像表示装置のタイマーを自らの置かれた鉄道車両の車両内システム時刻に同期したりできことから、車両回線を使って各画像表示装置を外部から監視や制御して保守点検が容易になり省力化が図れる。
【００５４】
請求項１３に記載された発明によれば、可搬型記録媒体は、前記画像情報ファイルの中の画像情報を再生する順番を記載した複数のシナリオが記載されたシナリオファイル、時間帯に応じて前記複数のシナリオの中からシナリオを変更するタイムテーブルが記載されたスケジュールファイルを有するので、的確な時間と場所に応じた広告を表示することができる。また及び画像情報の再生に関する履歴を記録するログファイルを有するので広告表示の記録を取るので広告の実績を証明することができることから画像表示装置を車両の中の広告媒体として活用が図れる。
【００５５】
請求項１４に記載された発明によれば、シナリオファイルには、広告を有効に表示させるために必要な情報が記録されているので、複数の映像情報の管理が容易に行えることから、効果的な広告の表示を図れる。
【００５６】
請求項１５に記載された発明によれば時刻情報を有する各画像表示装置が、広告を流す時刻を指定したスケジュールファイルのスケジュール情報に基づいてシナリオファイルのシナリオを選択し、そのシナリオのシナリオ情報に基づいて画像情報は表示されるので的確な広告の表示を図れる。
【００５７】
請求項１６に記載された発明によれば、前記可搬型記録媒体には、前記鉄道車両の用途種別に応じて前記表示制御部の動作を設定する動作設定情報が記憶されているので、これに基づいて画像表示部へ流す画像情報を制御することで効率的な広告の表示を図れる。
【図面の簡単な説明】
【００５８】
【図１】鉄道車両の中の低速ネットワーク（低速回線）及び高速ネットワーク（高速回線）で結ばれた画像表示装置の様子を示す図である。
【図２】画像表示装置の内部構成図である。
【図３】ＳＤカード（フラッシュメモリー）に記録されるフォルダ構造である。
【図４】（１）１台をマスターとしてアップデートし、（２）でファイルをブロードキャスト転送する説明図である。
【図５】（３）転送後返答を送信し、（４）全て受信した機器２が新たなマスターとなってファイルを転送する説明図である。
【図６】（６）全ての機器がファイル転送を完了する説明図である。
【図７】マスターとスレーブの動的な関係を説明する図である。
【図８】マスターモードの動作のフローチャートである。
【図９】スレーブモードのフローチャートである。
【図１０】シナリオファイルの構成図である。
【図１１】スケジュールファイルの構成図である。
【図１２】動作設定ファイルの構成図である。
【図１３】画像表示の動作説明図である。
【発明を実施するための形態】
【００５９】
以下、図面を用いて本発明の実施例として鉄道車両に適用した場合の発明の内容を詳細に説明する。図１は、車両内に複数設置された画像表示装置へ画像情報が配信される様子を示している。図１では１両のみを表示しているが、勿論、複数車両が連結されていてもよい。鉄道車両１０１には、図１に示したように、右側側面にドア１０１Ｒ〜１０４Ｒが設けられ、左側側面にドア１０１Ｌ〜１０４Ｌが設けられている。客室内のドア１０１Ｒ、１０２Ｌ、１０３Ｒ、１０４Ｌの上部には、小型の運行情報表示装置１１１（１１１ａ、１１１ｂ、１１１ｃ、１１１ｄ）が設置され、客室内のドア１０１Ｌ、１０２Ｒ、１０３Ｌ、１０４Ｒの上部には、大型の運行情報表示装置１１２（１１２ａ、１１２ｂ、１１２ｃ、１１２ｄ）が設置されている。
【００６０】
運行情報表示装置１１１、１１２は、運行情報などの車両情報を伝送する車両回線である低速ネットワークに接続され鉄道車両１０１の行先や停車駅等を表示する。運行情報表示装置１１１及び１１２は、後述する表示設定器１１０から低速ネットワーク１１３を介して車両情報の一部として運行情報を取得し、当該運行情報に含まれる行先や停車駅等を文字や画像等を客室内に表示することで乗客に提示している。
【００６１】
表示設定器１１０は例えば先頭の車両に設置され、車両情報として行先、停車駅、種別及び鉄道車両１０１が現在位置している地点等の鉄道車両１０１の運行に関する情報である運行情報やその他鉄道車両１０１の制御情報等を車両回線となる低速ネットワーク１１３に出力する。
【００６２】
鉄道車両１０１には、低速ネットワーク１１３の他に動画を含む画像情報の伝送が可能な高速ネットワーク１１４が敷設されている。複数の画像表示装置１が高速ネットワーク１１４に接続され、互いの情報交換が可能になっている。高速ネットワークは例えばイーサネット（登録商標）で実装され、有線でも無線も良い。
【００６３】
本発明の一実施形態にかかる画像表示装置１は、客室内のドア１０１Ｌ、１０２Ｒ、１０３Ｌ、１０４Ｒの上部に、運行情報表示装置１１２ａ、１１２ｂ、１１２ｃ、１１２ｄと並べて設置されている。
【００６４】
図２に画像表示装置の構成を示す。車両の中で供給されるＡＣ１００Ｖ又はＤＣ１００Ｖを画像表示装置の中で使用するＤＣ１２Ｖへ電源装置１１で変換する。画像の表示は機器画面を使う液晶（ＬＣＤ：Ｌｉｑｕｉｄ  Ｃｒｙｓｔａｌ  Ｄｉｓｐｌａｙ）表示器１３で行っているが、画像表示部は画面とし液晶に限らず、プラズマディスプレイ、有機ＥＬ  （Ｏｒｇａｎｉｃ  Ｌｉｇｈｔ  Ｅｍｉｔｔｉｎｇ  Ｄｉｏｄｅ）などを用いても良い。画像表示部になる液晶表示器への入力はデジタル信号で、例えばＬＤＶＳ（Ｌｏｗ  ｖｏｌｔａｇｅ  ｄｉｆｆｅｒｅｎｔｉａｌ  ｓｉｇｎａｌｉｎｇ）などで伝送する。
【００６５】
液晶表示器１３にはその大きさと表示素子の配列に応じて固有の信号が入力される。表示制御部１４からの画像情報を表示部の規格に合わせて信号変換部１２により変換する。画像情報はＳＤカード１５が挿入された表示制御部１４から汎用的な画像情報の伝送方式であるコンピュータとディスプレイを接続するためのインタフェース規格の一つＤＶＩ（Ｄｉｇｉｔａｌ  Ｖｉｓｕａｌ  Ｉｎｔｅｒｆａｃｅ）で信号変換部１２へ送られる。
【００６６】
表示制御部１４は、画像表示装置の全体を制御するためのソフトウエアが蓄積されたメモリとこのソフトウエアに拠って処理を行うＣＰＵを備えている。外部とは車両回線である低速ネットワーク１１３に繋がれた運行情報表示装置１１２とＲＳ４８５インタフェースで接続される。また高速回線１１４であるイーサネット（登録商標）で接続される。表示制御部１４は運行情報表示装置１１２を介して車両回線に間接的に接続され、イーサネット（登録商標）に直接接続される。もちろん、表示制御部１４が直接低速回線１１３へ直接接続されてもよい。
【００６７】
車両の中に設置された画像表示装置はそれぞれ固有の装置ＩＤを有しており、装置の監視や保守はこの装置ＩＤ毎に行われる。装置ＩＤは、ＲＳ４８５インタフェースで接続されている運行情報表示装置からのＳＤＲ（Ｓｔａｔｕｓ  Ｄａｔａ  Ｒｅｑｕｅｓｔ）パケットの中の号車番号と車両の中の位置を示す部位情報から算出される。装置ＩＤは表１に示すように上位４ビットに１〜１５号車の号車番号を割り当てる。また、下位の４ビットで車両の中の位置を示す部位に対応した値（０〜１５）を入れる。車両の中の部位と部位を示す値は予め決めておけば任意である。尚、ＳＤカード１５が未挿入の場合は、デフォルトとして号車番号＝１、部位情報＝１とする。
【００６８】
【表１】
2015219627.tif 000003
【００６９】
例えば、３号車で部位が１０の画像表示装置の場合は、装置ＩＤ＝上位４ビット（号車番号―１）＋下位４ビット（１０）＝Ｈｅｘ（３−１）＋ＨｅｘＡ＝Ｈｅｘ２＋ＨｅｘＡ＝Ｈｅｘ２Ａとなり、バイナリーで表すと、００１０１０１０となる。
【００７０】
次にＩＰ（Internet Protocol）アドレスの生成について説明する。ＳＤカード１５の中に設定ファイル（Ｃｏｍｍｏｎ．Ｉｎｉ）が有り、そこには、ネットワークアドレス（１９２．１６９．２．０）とサブネットマスク（２５５．２５５．２５５．０）が記録されている。
【００７１】
画像表示装置は、自らのＩＰアドレスを以下のようにして算出する。各画像表示装置は号車番号と車両の中の位置に基づいて表１のように、固有の装置ＩＤを有する。また、各画像表示装置は設定ファイルから自分の所属するネットワークアドレスを取得する。そうすると、画像表示装置のＩＰアドレスは、ネットワークアドレス＋装置ＩＤとして算出される。
【００７２】
例えば、３号車で部位が１０の画像表示装置の場合は、Ｈｅｘ表示で、下位の８ビットは、２＝Ｈｅｘ２（００１０）、１０＝ＨｅｘＡ（１０１０）なので、下位８ビットは００１０１０１０となり、１０進法で表すと４２となる。従ってこの画像表示装置のＩＰアドレスは、ネットワークアドレス（１９２．１６９．２．０）＋装置ＩＤ（０．０．０．４２）＝１９２．１６９．２．４２となる。
【００７３】
各車両の各画像表示装置は上記のようにして固有のＩＰアドレスを所有するので、このＩＰアドレスを用いたネットワークを構成することができる。高速回線での情報のやり取りはデータリンク層としてイーサネット（登録商標）を使いその上でＩＰを使うことにより情報交換を行う。
【００７４】
次に、図３に示す画像表示装置へ挿入される可搬型記録媒体であるＳＤカード１５の中に記録されるファイルについて説明する。Ｃｏｎｔｅｎｔｓフォルダの中に画像表示装置をマスターとして動作させるアップデート情報としてＭＳ−ｕｐｄａｔｅが格納されている。ＭＳ−ｕｐｄａｔｅファイルを有するＳＤカード１５を挿入された画像表示装置は、ＭＳ−ｕｐｄａｔｅファイルを認識してマスターとして起動し、ＳＤカードに記録された新たな画像情報を配信するマスターとしての動作を行う。また、このファイルを有しないＳＤカード１５を挿入された画像表示装置はマスターとなる画像表示装置から新たな画像情報を受信するスレーブとして動作する。なお、ＳＤカード１５の中のファイルについては詳細に後述する。
【００７５】
ＭＳ−ｕｐｄａｔｅファイルを有するＳＤカードには、最新バージョンの画像情報及び表示・配信情報として、画像情報のバージョン情報、車両の中に設置された画像表示装置の数や必要に応じてアドレスに関する情報である部位情報又はＩＰアドレスなどが記録されている。この最新バージョンの画像情報を他のスレーブとして画像表示装置へ配信して画像情報を更新する様子について図４〜図６を用いて説明する。
【００７６】
図４に示すように各画像表示装置（機器１〜機器４）は画像情報の伝送が可能なネットワーク例えばイーサネット（登録商標）で接続される。各画像表示装置のイーサネット（登録商標）端子は接続段数の制限を受けないスイッチングハブの機能を有しており自らが接続される画像表示装置のＭＡＣ（Ｍｅｄｉａ  Ａｃｃｅｓｓ  Ｃｏｎｔｒｏｌ）アドレスを学習する。情報のやり取りは前述したＩＰアドレスを用いる。
【００７７】
図４で（１）機器１に記録媒体が挿入されてアップデート情報が記録されていればマスターになる。画像情報はパソコンなどから機器１へ送ってもよい。画像表示装置（機器１）はＳＤカード１５に記録されたファイルを調べ、表示・配信情報のアップデート情報としてＭＳ−ｕｐｄａｔｅファイルを認識すると、マスターとして動作をすることになる。なお、ファイル構造としてはアップデート情報が画像情報のフォルダに含まれてもよい。
【００７８】
マスターになった画像表示装置（機器１）は他のＭＳ−ｕｐｄａｔｅファイルを含まないＳＤカード１５を挿入されているスレーブになる画像表示装置（機器２〜機器４）の画像情報のバージョンを知るために、自らのＳＤカード１５に記録された画像情報のバージョン情報を含む他の画像表示装置の状態を尋ねるチェック用パケットであるＣｈｅｃｋパケットをブロードキャストで送信する。この時の機器１のマスター番号は1である。
【００７９】
ＭＳ−ｕｐｄａｔｅファイルを含まないＳＤカード１５を挿入されている他の画像表示装置（機器２，機器３，機器４）は後述するスレーブモードで動作する。マスターである画像表示装置（機器１）からのチェック用パケットを受けた他の画像表示装置（機器２，機器３，機器４）はランダムな遅れ時間を経た後に自らの画像情報のバージョン情報を含む新しい画像情報の転送を要求する転送要求パケットをマスターである画像表示装置（機器１）に向けてユニキャストで返信する。
【００８０】
次に、図４の（２）の動作を説明する。転送要求を受信したマスターである機器１は自分の有する画像情報をブロードキャストで自分のマスター番号１と共に送信する。その際、画像情報は情報量が大きいのでネットワークで決まるパケットサイズへ画像情報を分割して送信する。受信した機器２〜機器４はネットワークの輻輳を防止するためにパケット毎のＡＣＫを返すことはしない。
【００８１】
図５の（３）では、機器１から一つのバージョンの画像情報を送り終えた段階で、スレーブである機器２〜機器４から受信状態を示す情報を返信する。機器２は全てのパケットを受信したのでマスター（親）である機器1の画像情報が送信したバージョンの画像情報については同期が取れたことになる。機器２は全てのパケットを受信したことを意味する完了パケットを送信して、マスターから受信したマスター番号１に所定の数、例えば１を加えてマスター番号２となる。この加算する数は符号を含めて任意である。
【００８２】
図５の（４）では、機器2からの完了パケットを受信した機器１はマスターとしての役割を終えてスレーブに状態が変わる。その代りに、機器２が新たなマスターとして自分の有する画像情報とマスター番号２をブロードキャストで送信する。
【００８３】
機器３からはパケット番号４以降に不具合が有り、機器４からはパケット番号５以降に不具合が有ることがブロードキャストで返信される。それを受信した新たなマスターである機器２は、パケット番号４以降を送信する。
【００８４】
図６の（５）では、機器３及び機器４から全てのパケットを受信したことを示す完了パケットが送信される。機器２は、機器３又は機器４から完了パケットを受信すると自分の役割を終えてマスターからスレーブへ状態が変化する。
【００８５】
完了パケットを送信した機器３がマスター番号３になる。機器３と画像情報の同期が取れた場合は、機器４のマスター番号は４になる。また、機器４が機器２と画像情報の同期が取れた場合はそのマスター番号が機器３と同じマスター番号３になる可能性があり、マスター番号の調整が必要になる。この調整の詳細は後述する。
【００８６】
画像情報の伝送は、全ての機器間での画像情報の同期が取れてマスターになることで終了する。マスターになった機器は他の装置からの完了パケットを受信してスレーブになる。ここで、機器１の画像情報の新しいバージョンが複数ある場合は図４の（１）からの一連の動作を繰り返す。
【００８７】
図７を用いてマスターとスレーブの動的な動作を説明する。マスターとなった画像表示装置は自分の記録装置（ＳＤカード、コンパクトフラッッシュメモリなど）の内容が更新されると他のスレーブである画像表示装置に向けて自分の画像情報のバージョンをブロードキャストで送信する。ここで、マスターが送信するファイルは画像情報に限られないことは勿論である。
【００８８】
マスターからソフトウエアバージョンの通知を受けたスレーブは自分の有する画像情報と違いが有る場合は新しいバージョンの画像情報の送信を求めて、転送要求を送信する。
【００８９】
転送要求を受信したマスターは送るべきソフトウエアをＮ個の伝送可能な大きさに分割する。伝送開始に先立ってマスターは伝送開始を意味する開始パケットをブロードキャストで３回送信する。
【００９０】
その後、マスターはＮ個に分割されたファイルを番号０〜番号Ｎ−１のパケット番号を付加してブロードキャストにて伝送する。Ｎ個のパケットを送信後にマスターは終了パケットを３回送信する。スレーブはＮ個のパケットに不具合が無ければマスターとファイルの同期が取れたので同期確認を意味する完了パケットをブロードキャストにて送信する。
【００９１】
完了パケットを送信したスレーブは新たなマスターとなり、完了パケットを受信したマスターはスレーブに状態が変化する。
【００９２】
図８を用いてマスターの動作を説明するフローの説明をする。ＳＤカードを挿入された画像表示装置はマスターとしての動作を開始する（Ｓ０）。この場合のマスター番号Ｍｎ＝１である（Ｓ１）。
【００９３】
ＳＤカードなどの外部情報によりソフトウエアを取り込む（Ｓ２）。取り込んだソフトウエアのバージョンとマスター番号Ｍｎを含むチェック用パケット（Ｃｈｅｃｋパケット）をブロードキャストで送信する。ＳＤカードでマスターになった場合のマスター番号はＭｎ＝１であるが、同期が取れて新たなマスターとなった場合は、同期した画像表示装置のマスター番号に所定の数、例えば１を加えた新たなマスター番号となる（Ｓ３）。
【００９４】
複数のネットワークで接続された他の画像表示装置からの応答を例えば５秒待つ（Ｓ４）。新しいバージョンの転送要求が無かった場合はタイムアウトになってＳ１１へ飛ぶ。また転送要求が有った場合は、以後マスター番号のチェックが行われる（Ｓ５）。
【００９５】
各画像表示装置は自分のマスター番号を持っていて最初はスレーブ状態なのでマスター番号はＭｎ＝０になっている。ＳＤカードのアップデート情報によりマスターになった場合のマスター番号はＭｎ＝１である（Ｓ１）。スレーブから新たなマスターになった場合は、同期が取れた古いマスターのマスター番号に１を加えたマスター番号になる。
【００９６】
マスターのときにスレーブから転送要求が有る場合を説明する。スレーブから来たパケットの中の送信マスター番号はＭｎｔ＝０である。自分のマスター番号Ｍｎ＝１と伝送されてきたパケットの中のマスター番号Ｍｎｔ＝０を比べると、Ｍｎ＞Ｍｎｔとなり、Ｓ６でＮ及びＳ７でＮとなり自分がマスターとして画像情報の配信を行うことになる。ここでは、マスター番号の大きいものを優先したが、逆にマスター番号の小さいものを優先してシステムを組むこともできる。
【００９７】
また、スレーブから新たなマスターになって、新しいマスター番号Ｍｎｔを付けた画像表示装置から完了パケットが来て、自分のますらー番号Ｍｎよりも受信したマスター番号Ｍｎｔが大きい（Ｍｎ＜Ｍｎｔ）の場合は、状態がマスターからスレーブになる（Ｓ６）。
【００９８】
また、新しいマスター番号Ｍｎｔを付けた画像表示装置からの完了パケットが来て、Ｍｎ＝Ｍｎｔの場合は、それぞれのアドレス情報、例えばＭＡＣアドレス又はＩＰアドレスの大大小を比較して自分の方が小さい場合はマスター番号を変更しないでマスター番号が維持されスレーブになる（Ｓ８でＹ）。これは逆の関係にして、アドレスの大きいほうがスレーブになってもよい。
【００９９】
自分のアドレスが大きいときは自分のマスター番号ＭｎをＭｎｔ＋１とする（Ｓ８のＮ）。そして、送るべき画像情報の大きさから算出される全体のパケット数（ＴＯＴ＿ＰＡＣＫＥＴ＿ＮＵＭ）を決める。その際、パケットサイズはパケット分割されないＭＴＵ（Ｍａｘｉｍｕｍ  Ｔｒａｎｓｍｉｓｓｉｏｎ  Ｕｎｉｔ）以下にする（Ｓ８２）。
【０１００】
先ず、最初のパケット番号ＳＴ＿ＰＡＣＫＥＴ＿ＮＯを０にする（Ｓ８３）。
【０１０１】
次に、送信の開始を意味する開始パケットをブロードキャストで送信する（Ｓ８４）。
【０１０２】
内部のカウンタＮにＳＴ＿ＰＡＣＫＥＴ＿ＮＯの値を入力する（Ｓ８５）。最初の回はＮ＝０となる。
【０１０３】
カウンタの値Ｎに従ってＮ番目の分割パケットをブロードキャストで送信する（Ｓ８６）。
【０１０４】
受信側の処理時間に余裕を持たせることと、伝送帯域に負荷を掛けないようにするために遅延時間を取る（Ｓ８７）。
【０１０５】
カウンタの値Ｎを一つ増やし、Ｎ番目の分割パケットをブロードキャストで送信することを、Ｎが全パケット数（ＴＯＴ＿ＰＡＣＫＥＴ＿ＮＵＭ）になるまで繰り返す（Ｓ８８）。
【０１０６】
全パケットを送信すると、終了パケットをブロードキャストで３回送信する（Ｓ８９）。
【０１０７】
マスターからの終了パケットを受信した他の画像表示装置からの応答である完了応答を例えば５秒待つ（Ｓ９０）。
【０１０８】
完了応答が規定時間内に無い場合は全バージョンが完了かを尋ね、Ｎｏの場合はＳＴＡＲＴ（Ｓ０）へ戻る。
【０１０９】
完了応答が有ってもパケットに欠落がない場合（Ｓ１０のＮ）はＳ１１へ飛び、全バージョンが完了かを尋ね完了している場合（Ｓ１１のＹ）で状態がマスターからスレーブへ変化する。
【０１１０】
スレーブが受信したパケットに欠落のある場合の複数の画像表示装置からの欠落を起こした最小パケット番号を、ＳＴ＿ＰＡＣＫＥＴ＿ＮＯの値とする（Ｓ１０１）。
【０１１１】
次に、スレーブモードでの動作について図９を用いて説明する。ＳＤカードにアップデート情報が無い場合は画像表示装置がスレーブモードで動作する。ＳＴＡＲＴ（Ｓ３０）後、マスター番号Ｍｎを０に設定する（Ｓ３１）。
【０１１２】
マスターからのソフトウエアバージョンを知らせるチェック用パケットの到着を待つ（Ｓ３２）及び（Ｓ４０）。
【０１１３】
Ｃｈｅｃｋ用パケットを受信すると（Ｓ４０のＹ）、現在のソフトウエアバージョンＡと受信したソフトウエアバージョンＢを対比する（Ｓ４１）。
【０１１４】
自分のバージョンがマスターのバージョンと同じか、大きければマスターからの画像情報を受信する必要が無いので完了応答を送信する（Ｓ４２３）。自分のマスター番号Ｍｎを送信されてきたマスター番号に所定の数、例えば１を加えてＭｎｔ＋１にする（Ｍｎ←Ｍｎｔ＋１）（Ｓ４２４）。
【０１１５】
また、Ａ＜Ｂの場合は転送要求と自分のマスター番号Ｍｎ＝０をマスターに向けて送信する（Ｓ４２１）。
【０１１６】
転送要求を受けたマスターからの開始パケットを例えば５秒間受信待ちする（Ｓ４２２）。
【０１１７】
５秒の間に開始パケットを受信できない場合はタイムアウトでＳ３２へ戻る。受信した場合はマスターからの分割パケット又は終了パケットを受信待ちする（Ｓ４３１）。
【０１１８】
Ｎ番目の分割パケットを受信するとＮ番目の受信フラグをＯＮにして受信したデータを受信バッファへ格納する（Ｓ４４１）。
【０１１９】
終了パケットを受信した場合（Ｓ４４でＹ）は受信したデータのパケットに欠落があるか否かを調べ一番小さな欠落したパケット番号Ｍをマスターへ送信する（Ｓ４５２）。
【０１２０】
データに欠落が無い場合は完了パケットを送信する（Ｓ４５１）。
【０１２１】
受信バッファに格納してあるデータをアップデートする（Ｓ４５３）。マスターに役割変更する。
【０１２２】
次に、ＳＤカード１５に記録された画像情報を含む各種ファイルについて説明をする。
【０１２３】
ＳＤカード１５は、周知のように、カード状に形成され、不揮発性の半導体メモリを内蔵した読み書き自在の可搬型記録媒体である。ＳＤカード１５には、動画情報や静止画情報などの画像情報やシナリオファイルやスケジュールファイル等が記憶されている。なお、本実施形態では可搬型記録媒体としてＳＤカード１５で説明するが、ＳＤカードに限らず、他の方式のメモリカードでもよいし、ＵＳＢ（Ｕｎｉｖｅｒｓａｌ  Ｓｅｒｉａｌ  Ｂｕｓ）メモリやハードディスクあるいは光ディスク等の可搬型記録媒体であってもよい。
【０１２４】
図３にＳＤカード１５内のフォルダ構造例を示す。ＳＤカード１５（ＳＤ  Ｃａｒｄ）には、コンテンツ（ｃｏｎｔｅｎｔｓ）とファーム（ｆｉｒｍ）とログ（ｌｏｇ）とセッティング（ｓｅｔｔｉｎｇ）との各フォルダ（ディレクトリ）が形成されている。
【０１２５】
コンテンツフォルダには、ＣＭとニュース（ＮＥＷＳ）とエマージェンシー（ＥＭＥＲＧＥＮＣＹ）との各フォルダが形成されている。また、マスターになる画像表示装置へ挿入されるＳＤカードには、ＭＳ−ｕｐｄａｔｅファイルが記録される。
【０１２６】
ＣＭフォルダには、ＬＣＤ表示器１３に表示する広告の動画情報（広告動画情報）とシナリオ情報とスケジュール情報とが格納されており、バージョンごとにフォルダが形成されている。図３の例では、“２０１３０３０１”（バージョンα）と“２０１３０４０１”（バージョンβ）との２つのフォルダが形成されている。
【０１２７】
バージョンごとに形成されるフォルダ、例えば“２０１３０３０１”フォルダには、ソース（Ｓｏｕｒｃｅ）フォルダが形成され、１．ｉｎｉ〜１０．ｉｎｉの１０個のシナリオファイルとｓｃｈｅｄｕｌｅ．ｉｎｉの１個のスケジュールファイルが格納されている。ソースフォルダには、複数の広告動画情報（ＡＡＡＡ．ｈ２６４〜ＤＤＤＤＤ．ｈ２６４）が格納されている。この広告動画情報は、例えばＨ．２６４規格により符号化されている。即ち、広告動画情報が画像情報となる。勿論画像情報は動画情報に限らず静止画情報であってもよい。
【０１２８】
シナリオ情報としてのシナリオファイルは、ソースフォルダに格納されている各動画情報の表示順や表示する地点等が設定されているファイルである。スケジュール情報としてのスケジュールファイルは、複数のシナリオファイルを実行する時間帯が設定されているファイルである。
【０１２９】
シナリオファイルの例を図１０に示す。図１０は、図３に示した１．ｉｎｉの例である。シナリオファイルには、対象の広告動画情報名（ファイル名）と、広告動画情報かニュース動画情報かの種類の識別（種類）と、ファイル名で示された広告動画情報の繰り返し表示回数（回数・時間）と、表示させる位置（表示位置）と、表示させる地点（表示地点）と、が記載されている。
【０１３０】
図１０の例の場合、種類は“１”が広告で“２”がニュースを示す。表示位置とは、図１に示した複数の画像表示装置のうち、どの画像表示装置に表示するかを指定する情報（画像表示装置の鉄道車両１０１の中での位置情報）であり、各画像表示装置は、予め表示設定器１１０が出力する運行情報に含めて送信された自身の設置位置情報に基づいて判断することができる。例えば、ドア１０１Ｌの上部に設けられている画像表示装置の位置が“１１”の場合、表示位置に“１１”が含まれている場合は、ファイル名に指定された広告動画情報を表示する。
【０１３１】
表示地点とは、ファイル名で指定された広告動画情報を表示する地点を指定する情報であり、図１０では、地点コードにより指定している。地点コードとは、表示設定器１１０が運行情報に含めて出力する情報であり、例えば駅や駅と駅との間の区間など、特定の位置や特定の範囲の位置を示す情報をコード化したものである。画像表示装置は、運行情報に含まれる地点コードと表示位置の設定とが一致した場合は、ファイル名に指定された広告動画情報を表示する。なお、地点コードではなく緯度と経度など広告動画情報を表示する地点を示す情報であれば他の方法でもよい。
【０１３２】
シナリオファイルには、１つの広告動画情報について上記した５つの項目を設定し、それを表示する順序で記載する。図１０の場合は、“１．５Ｍｂｐｓ．ｈ２６４”、“３．５Ｍｂｐｓ．ｈ２６４”のファイルが、シナリオファイルに記載された条件のもとで表示される。表示される画像ファイルの順番がシナリオファイルに設定されている。またシナリオは複数用意されており、後述するスケジュールファイルの記載内容に応じて選択される。
【０１３３】
なお、図１０の表示位置や表示地点で“−”と表記されている場合は、全ての位置、全ての地点で表示することを示している。
【０１３４】
次に、スケジュールファイルの例を図１１に示す。スケジュールファイルには、対象のシナリオファイル名と、シナリオ情報を実行する時間に関する情報としての当該シナリオの開始時刻（開始時分）と、当該シナリオの終了時刻（終了時分）と、が記載されている。スケジュールファイルには、各シナリオファイルに開始時分と終了時分とが設定されている。即ち、スケジュールファイル（スケジュール情報）には、シナリオファイル（シナリオ情報）の実行開始時間及び実行終了時間が含まれている。
【０１３５】
エマージェンシーフォルダには、緊急時に液晶表示器１３に表示する静止画情報（動画情報でもよい）が格納されている。
【０１３６】
ファームフォルダには、表示制御部１４で動作するファームウェアのアップデート用のデータ等が格納されている。
【０１３７】
ログフォルダには、プレイ（ｐｌａｙ）フォルダとエラー（ｅｒｒ）フォルダとが形成されている。
【０１３８】
プレイフォルダには、広告動画情報の再生回数のログファイルが格納されている。ログファイルには、例えば、再生した広告動画情報名とその再生日時とが再生日時順に記録されている。したがって、例えばこのログファイルを特定の広告動画情報名で検索することで広告動画情報の再生回数が判明する。即ち、ＳＤカード１５（可搬型記録媒体）には、広告動画情報（画像情報）の再生履歴に関する情報が記憶されている。
【０１３９】
エラーフォルダには、動作中に発生したエラーのログファイルが格納されている。ログファイルには、例えば、発生したエラーのＩＤとその発生日時とが発生日時順に記録されている。
【０１４０】
セッティングフォルダには、画像表示装置の各種設定を記載された設定ファイル（ｃｏｍｍｏｎ．ｉｎｉ）と種別と行先による動作が設定された動作設定ファイル（ｏｐｅｒａｔｉｏｎ．ｉｎｉ）とが格納されている。
【０１４１】
設定ファイルは、複数の画像表示装置を識別するための前述した装置ＩＤや、表示する画像情報等の切り替えの基準とする時刻の設定（例えば午前０時ではなく午前３時にする）などの項目を設定することができる。
【０１４２】
動作設定ファイルの例を図１２に示す。動作設定ファイルには、種別ごとに行先と動作を記載する。なお、図１２中“＃”以降はコメントを示している。例えば図１２の「種別１（回送）」とコメントが記載されている行の［００］は種別を示すコード（種別コード）であり、コメントのとおり回送を示している。種別コードは鉄道車両１０１が走行する路線の種別に基づいて予め設定されたコードであり、表示設定器１１０から運行情報に含めて出力される。
【０１４３】
次の行の「“００”＝“０”」は行先と動作を示している。この行の左辺（“００”）は行先コードであり、右辺（“０”）は動作コードである。行先コードは鉄道車両１０１が走行する路線の行先に基づいて予め設定されたコードであり、表示設定器１１０から運行情報に含めて出力される。動作コードは、画像表示装置の動作を指定するコードであり、例えば“０”が無表示、“１”がシナリオファイルとスケジュールファイルとに基づく通常表示、“２”がデフォルト画像１の表示、“３”がデフォルト画像２の表示などと規定されている。デフォルト画像１、２は、図３では図示しないデフォルト画像用のフォルダに含まれている静止画情報である（動画情報でもよい）。この動作コードに基づいて表示制御部１４が動作する。即ち、種別に応じて表示制御部１４（表示制御部）の動作を設定している。
【０１４４】
次に、上述した構成の画像表示装置における広告動画情報の表示動作について図１３を参照して説明する。図１３のフローチャートは表示制御部１４で実行される。
【０１４５】
まず、ステップＳ１０１において、ＲＳ−４８５インタフェース経由で表示設定器１１０から運行情報表示装置１１２を介して表示のＯＮまたは表示のＯＦＦを受信したかを判断し、表示ＯＦＦを受信した場合はステップＳ１０２に進み無表示状態となる。
【０１４６】
一方、表示ＯＮを受信した場合はステップＳ１０３に進み、種別（種別コード）、行先（行先コード）と動作設定ファイルとを確認し、該当する種別コードと行先コードの動作コードが“０”の場合はステップＳ１０２に進み無表示状態となる。動作コードが“１”の場合はステップＳ１０４に進む。そして、動作コードが“２”以上の場合はステップＳ１０５に進み、予め指定されているデフォルト画面を表示する。このステップＳ１０３では、動作設定ファイルに記載された設定のうち、運行情報として運行情報表示装置１１２を介して取得した種別コード及び行先コードに該当する設定に応じて判断される。即ち、動作設定ファイル（動作設定情報）に基づいて、スケジュールファイル（スケジュール情報）及びシナリオファイル（シナリオ情報）による動作を行うか否かを決定している。
【０１４７】
次に、ステップＳ１０４においては、日付とトリガバージョンを確認し、該当するバージョンがない場合はステップＳ１０５に進み、予め指定されているデフォルト画面を表示する。デフォルト画面は静止画である場合が多く、静止画モードで表示される。トリガバージョンとは、図３のＣＭフォルダ内に形成されたフォルダ名を指している。例えば、“２０１３０３０１”の場合は、２０１３年３月１日以降に表示する動画情報等が格納されているフォルダとなる。また、図３のように“２０１３０３０１”“２０１３０４０１”の２つのフォルダ（バージョン）がある場合は、２０１３年３月１日〜２０１３年３月３１日までが“２０１３０３０１＃フォルダ内の動画情報等を表示し、２０１３年４月１日以降は”２０１３０４０１“フォルダ内の動画情報等を動画モードで表示する。
【０１４８】
ステップＳ１０４における判断では、画像表示制御部１４が内蔵する時計機能から日付を取得し、その取得した現在の日付がＳＤカード１５内のトリガバージョンに示す日付の範囲であるかを判断している。
【０１４９】
次に、該当するバージョンがある場合はステップＳ１０６に進み、時刻とスケジュールファイルのタイムテーブルを確認し、時刻に対応するシナリオファイルが無い場合はステップＳ１０５に進み、予め指定されているデフォルト画面を表示する。
【０１５０】
ステップＳ１０６における時刻とスケジュールファイルのタイムテーブルの確認とは、現在の時刻が、スケジュールファイルに設定されている開始時分〜終了時分に含まれているかを確認し、含まれている場合は、その開始時分と終了時分とが設定されているシナリオファイルを選択する。なお、現在の時刻は、ステップＳ１０４で日時を確認する際に取得した日時に付随している時刻情報を取得すればよい。即ち、スケジュールファイル（スケジュール情報）と現在の時刻とに基づいてシナリオファイル（シナリオ情報）を選択している。
【０１５１】
次に、時刻に対応するシナリオファイルがある場合はステップＳ１０７に進む。ステップＳ１０７においては、対応したシナリオファイルを確認し、対応したシナリオファイルが無い場合はステップＳ１０５に進み、予め指定されているデフォルト画面を表示する。このステップＳ１０７は、ステップＳ１０６で確認したスケジュールファイルに記載されているシナリオファイルをＳＤカード１５内から読み込むための動作を行っている。つまり、対応したシナリオファイルが無いとは、スケジュールファイルには記載があるものの、ＳＤカード１５内に記憶されていない場合であり、例えばスケジュールファイルの記載ミス、シナリオファイル名のミス、あるいはＳＤカード１５にファイルを記憶させる作業上のミスなどが疑われる。
【０１５２】
次に、対応したシナリオファイルがある場合はステップＳ１０８に進みシナリオファイルで呼び出された広告動画情報を確認し、広告動画情報（動画ファイル）が無い場合はステップＳ１０９に進み、ステップＳ１０５と同様に予め指定されているデフォルト画面を表示してステップＳ１０１１に進む。このステップＳ１０８は、ステップＳ１０７で確認したシナリオファイルに記載されている設定に合致する動画ファイルをＳＤカード１５内から読み込むための動作を行っている。つまり、動画ファイルが無いとは、シナリオファイルには記載があるものの、ＳＤカード１５内に記憶されていない場合であり、例えばシナリオファイルの記載ミス、動画ファイル名のミス、あるいはＳＤカード１５にファイルを記憶させる作業上のミスなどが疑われる。
【０１５３】
このステップＳ１０８においては、運行情報として表示設定器１１０から出力された地点コード（現在位置する地点）と自身の設置位置情報（自身の設置位置）とに基づいて、シナリオファイルの記載から該当する動画ファイルの設定を特定することで、ＳＤカード１５から画像情報ファイルの動画ファイルを読み出している。即ち、シナリオファイル（シナリオ情報）と運行情報とに基づいて動画ファイル（画像情報）を選択している。
【０１５４】
次に、動画ファイルがある場合はステップＳ１０１０に進みステップＳ８で読み出した動画ファイルを動画モードでＬＣＤ表示器１３の機器画面に表示させる。即ち、ＳＤカード１５から該当する動画ファイルを読み出して、デコードし、ＤＶＩを介して信号変換部に出力する。信号変換部は、ＬＶＤＳに規定された画像信号に変換してＬＣＤ表示器１３に出力することで動画ファイル（広告動画情報）が表示される。
【０１５５】
次に、ステップＳ１０１１において、シナリオファイルの終了を確認し、続きがある場合は、ステップＳ１０８に戻り、終了の場合はステップＳ１０６に戻る。例えば図４の場合、画像情報の名称でありＡＡＡＡＡ．ｈ２６４を表示した後はステップＳ１０８に戻り次のＢＢＢＢＢ．ｈ２６４の表示を行い、ＤＤＤＤＤ．２６４を表示した後はステップＳ１０６に戻りスケジュールファイルの確認から再度実行する。
【０１５６】
なお、図１３に示したフローチャートのうち、Ａで囲んだ部分を実行中に、ＲＳ−４８５インタフェース経由で表示のＯＮまたは表示のＯＦＦを受信した場合はフローチャートを終了する。表示ＯＮの場合は表示中の動画ファイルの表示終了後に終了し、表示ＯＦＦの場合は動画ファイルの終了を待たずに強制終了する。
【０１５７】
本実施形態によれば、各画像表示装置は、表示制御部１４が鉄道車両１０１の運行情報を取得し、そして、取得した運行情報に基づいて液晶表示器１３に表示させる広告動画情報をＳＤカード１５から読み出す。このようにして、運行情報に応じた広告動画情報がＳＤカード１５から読み出され、液晶表示器１３に表示される。この広告動画情報は、マスターとなった画像表示装置の画像情報と同期を取ることで常に最新の状態に保たれる。そして、外部から運行情報が取得できれば、運行情報に基づいて広告動画情報等の画像情報を液晶表示器１３に表示させることができる。
【０１５８】
ＳＤカード１５などの可搬型記録媒体に新たな広告動画情報と共にアップデート情報を記憶させているので、一つの画像表示装置のＳＤカード１５を交換するだけで車両に設置された全ての画像表示装置に表示させる広告動画情報を変更することができ、アップデート作業の簡便化を図ることができる。
【０１５９】
また、運行情報として地点コードと自身の設置位置情報とを取得し、表示制御部１４が、取得した地点コード及び自身の設置位置情報と、シナリオファイルに記載された表示地点及び表示位置に基づいて広告動画情報をＳＤカード１５から読み出して、液晶表示器１３に表示する。このようにすることにより、鉄道車両１０１が現在位置する地点や画像表示装置の設置位置に応じて表示させる広告動画情報を変更することができ、地点や位置に適した広告を表示させることができる。したがって、効果的な広告をすることができる。
【０１６０】
また、シナリオファイルに、複数の広告動画情報の表示する順序が設定され、表示制御部１４が、シナリオファイルを読み出して、その設定された順序で広告動画情報を液晶表示器１３に表示させている。このようにすることにより、予め複数の広告動画情報を表示させる順序を設定することができる。また、シナリオファイルがＳＤカード１５に広告動画情報とともに記憶されているため、ＳＤカード１５の内容を変更するのみで表示順を変更することができる。また、表示させる広告動画情報と同じＳＤカード１５に記憶することでシナリオファイルの管理が容易となる。
【０１６１】
また、シナリオファイルに、広告動画情報を繰り返し表示させる回数が設定されているので、１つの広告動画情報を複数回連続して表示させることができる。
【０１６２】
また、スケジュールファイルに、シナリオファイルの実行開始時分と実行終了時分とが設定され、表示制御部１４が、スケジュールファイルを読み出して、その設定された実行開始時間から実行終了時間に含まれるシナリオファイルを実行している。このようにすることにより、予めシナリオファイルを実行する時間を設定することができる。また、スケジュールファイルがＳＤカード１５に広告動画情報やシナリオファイルとともに記憶されているため、ＳＤカード１５の内容を変更するのみでシナリオファイルを実行する時間を変更することができる。また、表示させる広告動画情報やシナリオファイルと同じＳＤカード１５に記憶することでスケジュールファイルの管理が容易となる。
【０１６３】
また、スケジュールファイルとシナリオファイルとが、それぞれ個別のファイルとしてＳＤカード１５に記憶されているので、変更される情報の含まれるファイルのみを修正することができる。そのため、修正範囲が限定されるので修正が容易となり、間違い等が入りにくくなる。
【０１６４】
また、動作設定ファイルに、鉄道車両１０１の種別ごとに通常表示をするか無表示とするかデフォルト画像を表示するかを示す情報が設定され、表示制御部１４が、動作設定ファイルを読み出して、運行情報として取得した用途種別および行先に該当する設定に基づいた動作を行っている。このようにすることにより、例えば急行や普通といった種別に応じて予めシナリオファイルやスケジュールファイルを実行するか、他の動作をするかを設定することができる。また、動作設定ファイルがＳＤカード１５に広告動画情報、シナリオファイル及びスケジュールファイルとともに記憶されているため、ＳＤカード１５の内容を変更するのみで当該ＳＤカード１５内のシナリオファイルやスケジュールファイルの実行を変更することができる。また、表示させる広告動画情報、シナリオファイル及びスケジュールファイルと同じＳＤカード１５に記憶することで動作設定ファイルの管理が容易となる。
【０１６５】
また、動作設定ファイルが個別のファイルとなっているので、変更される情報の含まれるファイルのみを修正することができる。そのため、修正範囲が限定されるので修正が容易となり、間違い等が入りにくくなる。
【０１６６】
なお、上述した実施形態では、広告（ＣＭフォルダ）の表示について説明したが、ニュース（ニュースフォルダ）も同様にシナリオファイルやスケジュールファイルを設定することで同様の動作をさせることができる。
【０１６７】
また、上述した実施形態では、シナリオファイルとスケジュールファイルが別ファイルであったが、１つのファイルとしてもよい。或いは、動作設定ファイルも合わせて１つのファイルとしてもよい。
【０１６８】
また、シナリオファイルには行先の項目を追加してもよい。つまり、行先に応じて画像情報を表示するか否かを設定することができる。或いは、シナリオファイルに種別の項目を追加してもよい。この場合は、急行や普通といった種別に応じて画像情報を表示するか否かを設定することができる。
【０１６９】
また、現在の日時や時刻を表示制御部１４が内蔵する時計機能から取得していたが、表示設定器１１０が共通の時間情報としてネットワーク１１３に出力するようにし、画像表示装置は、運行情報表示装置１１２を介して取得するようにしてもよい。
【０１７０】
また、本発明は上記実施形態に限定されるものではない。即ち、当業者は、従来公知の知見に従い、本発明の骨子を逸脱しない範囲で種々変形して実施することができる。かかる変形によってもなお本発明の画像表示装置の構成を具備する限り、勿論、本発明の範疇に含まれるものである。
【符号の説明】
【０１７１】
１０１  鉄道車両
１０１Ｒ、１０２Ｒ，１０３Ｒ，１０４Ｒ  右側ドア
１０１Ｌ、１０２Ｌ，１０３Ｌ，１０４Ｌ  左側ドア
１１０  表示設定器
１１１  小型運行情報表示部
１１２  大型運行情報表示部
１１３  低速ネットワーク（回線）
１１４  高速ネットワーク（回線）
１  画像表示装置
１１  電源
１２  信号変換部
１３  ＬＣＤ表示器（画像表示部）
１４  表示制御部
１５  ＳＤカード（可搬型記録媒体）
【図１】
2015219627.tif 000004
【図２】
2015219627.tif 000005
【図３】
2015219627.tif 000006
【図４】
2015219627.tif 000007
【図５】
2015219627.tif 000008
【図６】
2015219627.tif 000009
【図７】
2015219627.tif 000010
【図８】
2015219627.tif 000011
【図９】
2015219627.tif 000012
【図１０】
2015219627.tif 000013
【図１１】
2015219627.tif 000014
【図１２】
2015219627.tif 000015
【図１３】
2015219627.tif 000016